(57)【要約】【課題】一対のコネクタが半嵌合状態で放置されることの防止と、半嵌合防止用の付勢部材の付勢力が劣化することの抑制とを、単一のスライド部材を用いた簡略な構成によって実現する。【解決手段】雌コネクタ１０と雄コネクタ３０との半嵌合状態には、雄コネクタ３０のスライド部材３５に当接したロックアーム１７を、コイルばね５１の付勢力で離脱方向Ｙに押し返して、雌コネクタ１０と雄コネクタ３０との半嵌合状態を解消する。雌コネクタ１０と雄コネクタ３０とが本嵌合状態になると、ロックアーム１７の撓み変形が解消され、スライド部材３５の前端５３の移動軌跡上からロックアーム１７が退避する。すると、ロックアーム１７に押されて移動範囲の後端側に移動していたスライド部材３５が、コイルばね５１からの付勢力で移動範囲の前端に移動し、コイルばね５１に蓄積された弾発力が解放される。【選択図】図７
2018195423.tif 000002
【特許請求の範囲】
【請求項１】
内部にそれぞれ端子を備えた一対のコネクタと、
前記一対のコネクタのうち一方のコネクタに設けられ、前記一対のコネクタの前記端子同士が接続された本嵌合状態において、前記一対のコネクタのうち他方のコネクタの係止部に係止されるロックアームと、
前記他方のコネクタに設けられ、前記一対のコネクタの前記端子同士が接続される前の半嵌合状態において、前記他方のコネクタとの接触により撓み変形した前記ロックアームと干渉し、該ロックアームに押圧されて前記他方のコネクタに対し前記一方のコネクタの嵌合方向に移動すると共に、前記本嵌合状態において、前記係止部への係止により撓み変形が解消した前記ロックアームとの干渉が解消されるスライド部材と、
前記他方のコネクタに設けられ、前記他方のコネクタに対する前記スライド部材の前記嵌合方向への移動により、前記他方のコネクタに対して前記スライド部材を前記嵌合方向の逆方向に移動させる付勢力を蓄積する付勢部材と、
を備える半嵌合防止コネクタ。
【請求項２】
前記付勢部材は、前記他方のコネクタと前記スライド部材との間に架設されて該スライド部材の前記他方のコネクタに対する前記嵌合方向への移動により変形して復元力を蓄積するコイルばねである請求項１記載の半嵌合防止コネクタ。
【発明の詳細な説明】
【技術分野】
【０００１】
本発明は、半嵌合防止機能を備えたコネクタに関する。
【背景技術】
【０００２】
従来から、一対のコネクタが半嵌合状態であるときに、一方のコネクタに設けたスライド部材が他方のコネクタに当接して一方のコネクタから離間させるように付勢するものが知られている。この種のコネクタは半嵌合防止コネクタとして知られている。半嵌合防止コネクタによれば、一対のコネクタを嵌合する際に両コネクタの端子同士が正しく接続されていない半嵌合状態が発生するのを防ぐことができる。本出願人も過去に、スライド部材を用いた半嵌合防止コネクタを提案している。
【０００３】
本出願人が提案した半嵌合防止コネクタでは、第１及び第２の２つのスライド部材が一方のコネクタに設けられる。各スライド部材は一方のコネクタに支持されて、他方のコネクタが嵌脱される方向にスライド可能に構成されている。両スライド部材間には、両スライド部材の接近離間によって拡縮するコイルばねが接続されている。
【０００４】
そして、一方のコネクタに対する他方のコネクタの半嵌合状態では、他方のコネクタの端面が第１のスライド部材に当接して第１のスライド部材を押す。また、他方のコネクタの挿入により撓んだ一方のコネクタのロックアームが第２のスライド部材に係止される。ロックアームが係止された第２のスライド部材は、一方のコネクタに対してスライドできなくなる。
【０００５】
したがって、他方のコネクタに押された第１のスライド部材が第２のスライド部材から離間してコイルばねが伸長し、第１スライド部材を第２スライド部材に接近させる方向の付勢力がコイルばねに蓄積される。コイルばねに蓄積された付勢力は、第１スライド部材から他方のコネクタに伝わって、他方のコネクタを一方のコネクタから離間する方向に付勢する。
【０００６】
これに対し、一方のコネクタに対する他方のコネクタの本嵌合状態では、一方のコネクタのロックアームが他方のコネクタの係止突起に係止されてロックアームの撓みが解消される。すると、第２のスライド部材に対するロックアームの係止が解消されて、第２のスライド部材が一方のコネクタに対してスライド可能となる。
【０００７】
スライド可能となった第２のスライド部材は、伸長していたコイルばねに蓄積された付勢力により、第１スライド部材に接近する方向にスライドする。第２スライド部材の第１スライド部材への接近により、伸長していたコイルばねが拡縮し、蓄積していた付勢力を解放した状態となる。
【０００８】
本出願人が提案した半嵌合防止コネクタでは、一方のコネクタに対する他方のコネクタの半嵌合状態のときに、２つのスライド部材間に接続したコイルばねからコネクタ間に加わる付勢力によりコネクタ同士が離間する方向に付勢される。よって、コネクタが半嵌合状態となった場合に両コネクタを離脱させて、半嵌合状態のまま放置されるのを防止することができる。
【０００９】
また、両コネクタの端子同士が正しく接続された本嵌合状態では、第１のスライド部材の押し込みによりばねに蓄積された付勢力が、ロックアームの係止が解消された第２のスライド部材のスライドにより解放される。よって、半嵌合状態のときにばねに蓄積された付勢力が、本嵌合状態となった後にも引き続きばねに蓄積されたままとなって、ばねの劣化が進むのを、抑制することができる（以上、例えば特許文献１）。
【先行技術文献】
【特許文献】
【００１０】
【特許文献１】特開平１１−１４９９５９号公報
【発明の概要】
【発明が解決しようとする課題】
【００１１】
本発明は、上述した半嵌合防止コネクタで２つ必要としていたスライド部材を１つに減らして構成の簡略化を図ることを目的としている。
【課題を解決するための手段】
【００１２】
上記目的を達成するために、本発明の第１の態様による半嵌合防止コネクタは、
内部にそれぞれ端子を備えた一対のコネクタと、
前記一対のコネクタのうち一方のコネクタに設けられ、前記一対のコネクタの前記端子同士が接続された本嵌合状態において、前記一対のコネクタのうち他方のコネクタの係止部に係止されるロックアームと、
前記他方のコネクタに設けられ、前記一対のコネクタの前記端子同士が接続される前の半嵌合状態において、前記他方のコネクタとの接触により撓み変形した前記ロックアームと干渉し、該ロックアームに押圧されて前記他方のコネクタに対し前記一方のコネクタの嵌合方向に移動すると共に、前記本嵌合状態において、前記係止部への係止により撓み変形が解消した前記ロックアームとの干渉が解消されるスライド部材と、
前記他方のコネクタに設けられ、前記他方のコネクタに対する前記スライド部材の前記嵌合方向への移動により、前記他方のコネクタに対して前記スライド部材を前記嵌合方向の逆方向に移動させる付勢力を蓄積する付勢部材と、
を備える。
【００１３】
本発明の第１の態様による半嵌合防止コネクタによれば、一方のコネクタを他方のコネクタに嵌合させる際、一方のコネクタのロックアームは、他方のコネクタとの接触により撓み変形して他方のコネクタのスライド部材と干渉する。ロックアームと干渉したスライド部材は、ロックアームにより押圧されて、他方のコネクタに対し嵌合方向に移動する。スライド部材が他方のコネクタに対し嵌合方向に移動すると、スライド部材を他方のコネクタに対し嵌合方向と逆方向に移動させる付勢力が付勢部材に蓄積される。
【００１４】
付勢部材に蓄積された付勢力は、一対のコネクタの端子同士が接続される前の半嵌合状態にあり、撓み変形したロックアームがスライド部材を押圧している間、スライド部材からロックーアームに反力として作用する。この反力は、半嵌合状態の一方のコネクタを他方のコネクタから嵌合方向の逆方向に離脱させる力として働き、一対のコネクタが半嵌合状態に維持されるのを防止する。
【００１５】
付勢部材の付勢力を超える力で一方のコネクタが他方のコネクタに嵌合されて、ロックアームが他方のコネクタの係止部に係止されると、一対のコネクタの端子同士が接続されて本嵌合状態となる。一対のコネクタの本嵌合状態では、ロックアームの撓み変形が解消されて、スライド部材がロックアームと干渉しなくなる。
【００１６】
ロックアームと干渉しなくなったスライド部材は、ロックアームにより押圧されなくなるので、付勢部材に蓄積された付勢力は反力としてロックアームに伝わらなくなる。そして、ロックアームと干渉しなくなったスライド部材は、付勢部材に蓄積された付勢力によって、他方のコネクタに対し嵌合方向と逆方向に移動する。嵌合方向と逆方向へのスライド部材の移動により、付勢部材に蓄積された付勢力は解放される。したがって、本嵌合状態の一方のコネクタには、他方のコネクタから嵌合方向の逆方向に離脱させる力が働らかず、一対のコネクタは本嵌合状態に維持される。
【００１７】
本発明の第１の態様による半嵌合防止コネクタは、以上の構成としたことから、一方のコネクタに対する他方のコネクタの半嵌合状態では、一対のコネクタ間に加わる付勢部材の付勢力により一対のコネクタ同士を離間させて、両コネクタが半嵌合状態で放置されるのを防止することができる。
【００１８】
また、一方のコネクタに対する他方のコネクタの本嵌合状態では、スライド部材の移動により付勢部材に蓄積される付勢力を解放して、付勢部材の付勢力の劣化が進むのを抑制することができる。
【００１９】
そして、両コネクタが半嵌合状態で放置されることの防止と、付勢部材の付勢力の劣化が進むことの抑制とを、単一のスライド部材を用いた簡略な構成によって実現することができる。
【００２０】
また、本発明の第２の態様による半嵌合防止コネクタは、本発明の第１の態様による半嵌合防止コネクタにおいて、前記付勢部材は、前記他方のコネクタと前記スライド部材との間に架設されて該スライド部材の前記他方のコネクタに対する前記嵌合方向への移動により変形して復元力を蓄積するコイルばねである。
【００２１】
本発明の第２の態様による半嵌合防止コネクタによれば、本発明の第１の態様による半嵌合防止コネクタにおいて、他方のコネクタとスライド部材との間に付勢部材を架設する場合、付勢部材は、スライド部材の他方のコネクタに対する嵌合方向への移動により変形して復元力を蓄積するコイルばねとすることができる。
【００２２】
このコイルばねは、スライド部材の他方のコネクタに対する嵌合方向への移動により通常の状態よりも伸長して収縮方向への復元力を蓄積するものであってもよく、スライド部材の他方のコネクタに対する嵌合方向への移動により通常の状態よりも収縮して伸長方向への復元力を蓄積するものであってもよい。
【発明の効果】
【００２３】
本発明によれば、一対のコネクタが半嵌合状態で放置されることの防止と、半嵌合防止用の付勢部材の付勢力が劣化することの抑制とを、単一のスライド部材を用いた簡略な構成によって実現することができる。
【図面の簡単な説明】
【００２４】
【図１】本発明の一実施形態に係る半嵌合防止コネクタを半割状態で示す斜視図である。
【図２】図１の雌コネクタが雄コネクタから離脱した状態を示す半嵌合防止コネクタの縦断面図である。
【図３】図２の雄コネクタに雌コネクタを嵌合し始めた状態を示す半嵌合防止コネクタの縦断面図である。
【図４】図２の雄コネクタに嵌合し始めた雌コネクタのロックアームが雄ハウジングの上面に乗り上げて撓み変形した状態を示す半嵌合防止コネクタの縦断面図である。
【図５】図２の雄ハウジングの上面に乗り上げて撓み変形した雌コネクタのロックアームが雄ハウジングの上面上を摺動する状態を示す半嵌合防止コネクタの縦断面図である。
【図６】図２の雄ハウジングの上面の係止溝にロックアームの係止突起が係止されて雌コネクタのロックアームの撓み変形が解除された状態を示す半嵌合防止コネクタの縦断面図である。
【図７】図２の雄コネクタに雌コネクタが完全嵌合して雄ハウジングのスライダに対するロックアームの干渉が解消された状態を示す半嵌合防止コネクタの縦断面図である。
【発明を実施するための形態】
【００２５】
以下、本発明の一実施形態について、図面を参照して説明する。各図面を通じて同一もしくは同等の部位や構成要素には、同一もしくは同等の符号を付している。
【００２６】
以下に示す実施形態は、この発明の技術的思想を具体化するための装置等を例示するものであって、この発明の技術的思想は、各構成部品の材質、形状、構造、配置等を下記のものに特定するものでない。この発明の技術的思想は、特許請求の範囲において、種々の変更を加えることができる。
【００２７】
図１は本発明の一実施形態に係る半嵌合防止コネクタを半割状態で示す斜視図である。図１に示す本実施形態の半嵌合防止コネクタ１は、雌コネクタ１０（請求項中の一方のコネクタに相当）と、雌コネクタ１０が嵌合される雄コネクタ３０（請求項中の他方のコネクタに相当）とを備えている。
【００２８】
雌コネクタ１０は、雌ハウジング１１と雌端子１３（請求項中の一方のコネクタの端子に相当）とを有している。
【００２９】
雌ハウジング１１は、雌端子１３が複数収容される雌端子収容部１５と、雌コネクタ１０を雄コネクタ３０に嵌合すると雄コネクタ３０に係止されるロックアーム１７とを有している。
【００３０】
雌端子収容部１５は、図２の断面図に示すように、雄コネクタ３０への嵌合側に前端を配置している。雌端子収容部１５の前端には、端子挿入孔１９が複数形成されている。各端子挿入孔１９には、雌端子収容部１５の後端から内部に収容した各雌端子１３の先端の開口部がそれぞれ臨んでいる。
【００３１】
ロックアーム１７は、図１に示すように、雌端子収容部１５の後端側で片持ち支持されている。ロックアーム１７の先端側は、雌端子収容部１５の上面から一定の間隔をおいた上方に、雌端子収容部１５の上面に沿って延出している。ロックアーム１７の先端には、係止突起２１が形成されている。
【００３２】
雄コネクタ３０は、雄ハウジング３１と雄端子３３（請求項中の他方のコネクタの端子に相当）とスライド部材３５とを有している。
【００３３】
雄ハウジング３１は、雄端子収容部３７とフード部３９とを有している。フード部３９は、雌コネクタ１０が嵌合される雄ハウジング３１の前端側に配置されており、雄端子収容部３７は、雄ハウジング３１のフード部３９よりも後端側に配置されている。
【００３４】
雄端子収容部３７には雄端子３３が複数収容される。雄端子３３の先端側の部分は、雄端子収容部３７の外側に延出してフード部３９に露出する。フード部３９には、図３の断面図に示すように、雄コネクタ３０に嵌合する雌コネクタ１０の雌端子収容部１５が前端側から挿入される。フード部３９の上面には係止溝４１（請求項中の係止部に相当）が形成されている。
【００３５】
フード部３９の上面には、図４の断面図に示すように、雄コネクタ３０に嵌合する雌コネクタ１０のロックアーム１７の係止突起２１が乗り上げる。係止突起２１がフード部３９に乗り上げたロックアーム１７は、雄ハウジング３１の上方に撓み変形する。撓み変形したロックアーム１７の係止突起２１は、図５の断面図に示すように、雄ハウジング３１の上面上を摺動する。
【００３６】
雄ハウジング３１上を摺動する係止突起２１は、図６の断面図に示すように、雄コネクタ３０に雌コネクタ１０が嵌合されて両者が本嵌合状態となると、雄ハウジング３１の係止溝４１に係止される。係止突起２１が係止溝４１に係止されると、フード部３９に対する係止突起２１の乗り上げが解消されて、ロックアーム１７の撓み変形が解消される。つまり、ロックアーム１７は、図４及び図５に示すように雌コネクタ１０と雄コネクタ３０とが半嵌合状態である間、撓み変形した状態を維持する。
【００３７】
スライド部材３５は、図１に示すように、雄ハウジング３１の上面から立設されたガイド壁４３によって支持されている。ガイド壁４３の側面にはガイド溝４５が形成されている。ガイド溝４５は、雌コネクタ１０の嵌合方向Ｘ及び離脱方向Ｙ（請求項中の嵌合方向の逆方向に相当）に沿って前後に延在している。スライド部材３５は、ガイド溝４５に案内されて雄ハウジング３１に対し前後に移動することができる。なお、雄ハウジング３１の上面に左右に間隔をおいて２つのガイド壁４３を立設し、各ガイド壁４３のガイド溝４５に案内されて前後に移動するようにスライド部材３５を構成してもよい。
【００３８】
スライド部材３５は、雄ハウジング３１側の面にストッパ片４７を有している。このストッパ片４７と、雄ハウジング３１の後端のストッパ片４９とには、コイルばね５１（請求項中の付勢部材に相当）の両端が当接している。このコイルばね５１の弾発力（請求項中の復元力に相当）により、雌コネクタ１０の離脱方向Ｙ（雄ハウジング３１の前端側）に付勢されている。
【００３９】
雌コネクタ１０と雄コネクタ３０とが半嵌合状態である間、撓み変形したロックアーム１７の係止突起２１は、ガイド溝４５に案内されて前後に移動するスライド部材３５の前端５３の移動軌跡上に位置する。
【００４０】
そして、撓み変形したロックアーム１７の係止突起２１は、図５に示す、雌コネクタ１０の雌端子１３の先端に雄コネクタ３０の雄端子３３の先端が挿入され始める位置の手前で、スライド部材３５の前端５３に当接する。ここで、係止突起２１の形状は、ロックアーム１７が撓み変形した状態でスライド部材３５の前端５３に当接できる形状であれば、いかなる形状であってもよい。
【００４１】
なお、ロックアーム１７の係止突起２１は、図６に示すように、雌コネクタ１０と雄コネクタ３０とが本嵌合状態となり、係止突起２１が雄ハウジング３１の係止溝４１に係止されて、ロックアーム１７の撓み変形が解消される位置まで、スライド部材３５の前端５３に当接する。
【００４２】
そして、ロックアーム１７の係止突起２１が前端５３に当接したスライド部材３５は、雌コネクタ１０と雄コネクタ３０とが半嵌合状態となる位置関係にあるときに、雌コネクタ１０の雄コネクタ３０に対する嵌合度合いに応じたストロークで、移動範囲の後端側（嵌合方向Ｘ）に移動する。
【００４３】
スライド部材３５が移動範囲の後端側に移動すると、スライド部材３５と雄ハウジング３１の両ストッパ片４７，４９の間隔が縮まってコイルばね５１が収縮し、スライド部材３５の移動ストロークに応じた弾発力がコイルばね５１に蓄積される。したがって、スライド部材３５がロックアーム１７に押されて雄ハウジング３１の後端側に移動するほど、コイルばね５１の弾発力によりスライド部材３５に加わる離脱方向Ｙへの付勢力が増加する。
【００４４】
雌コネクタ１０と雄コネクタ３０とが本嵌合状態となり、係止突起２１が係止溝４１に係止されてロックアーム１７の撓み変形が解消されると、スライド部材３５の前端５３に当接していたロックアーム１７の係止突起２１が、スライド部材３５の前端５３の移動軌跡上から退避する。すると、図７の断面図に示すように、コイルばね５１からの付勢力でスライド部材３５が移動範囲の前端に移動し、コイルばね５１に蓄積された弾発力が解放される。
【００４５】
次に、上述したように構成された本実施形態の半嵌合防止コネクタ１の作用について説明する。
【００４６】
雌コネクタ１０を雄コネクタ３０に嵌合する際には、まず、図３に示すように、雌ハウジング１１の雌端子収容部１５を雄ハウジング３１のフード部３９に挿入する。この挿入の初期に、図４に示すように、雌コネクタ１０のロックアーム１７の係止突起２１がフード部３９の上面に乗り上げて、雌コネクタ１０のロックアーム１７が撓み変形する。フード部３９に乗り上げた係止突起２１は、スライド部材３５の前端５３の移動軌跡上に進出する。
【００４７】
雌ハウジング１１の雌端子収容部１５を雄ハウジング３１のフード部３９にさらに挿入すると、係止突起２１がスライド部材３５の前端５３に当接する。また、図５に示すように、雌コネクタ１０の雌端子１３の先端に雄コネクタ３０の雄端子３３の先端が挿入され始める。この挿入開始により、雌コネクタ１０と雄コネクタ３０とが半嵌合状態となる。
【００４８】
また、雄端子３３が雌端子１３に挿入され始めると、係止突起２１が前端５３に当接したロックアーム１７によりスライド部材３５が押されて、移動範囲の後端側に移動する。この移動によりコイルばね５１が収縮し、スライド部材３５の移動ストロークに応じた弾発力がコイルばね５１に蓄積される。この弾発力は、離脱方向Ｙへの付勢力としてスライド部材３５に加わる。
【００４９】
雄端子３３が雌端子１３に挿入され始めた位置で、コイルばね５１からスライド部材３５に加わる付勢力は、スライド部材３５に当接したロックアーム１７を有する雌コネクタ１０を、スライド部材３５と共に離脱方向Ｙに押し返すのに十分な大きさである。
【００５０】
このため、雄端子３３が雌端子１３に挿入され始めた位置で、半嵌合状態のまま雄コネクタ３０に対する雌コネクタ１０の嵌合作業を中止すると、コイルばね５１からの付勢力でスライド部材３５が雌コネクタ１０を離脱方向Ｙに押し返す。この押し返しにより、雌端子１３に挿入され始めた雄端子３３が雌端子１３から離間して、雌コネクタ１０と雄コネクタ３０とが離脱する。
【００５１】
一方、雄端子３３が雌端子１３に挿入され始めた位置から、雌ハウジング１１の雌端子収容部１５を雄ハウジング３１のフード部３９にさらに挿入すると、雌端子１３に対して雄端子３３が一部挿入される。この挿入により、雌端子１３と雄端子３３との間には摩擦抵抗が働くようになる。この摩擦抵抗により、雌コネクタ１０と雄コネクタ３０とは、嵌合作業を中止しても半嵌合状態のまま保持されやすくなる。
【００５２】
また、雌端子収容部１５をフード部３９にさらに挿入すると、ロックアーム１７によりスライド部材３５がさらに押されて、移動範囲のさらに後端側に移動する。この移動により、コイルばね５１はスライド部材３５の移動分だけさらに収縮する。この収縮により、コイルばね５１に蓄積される弾発力は、スライド部材３５の増加した移動ストロークに応じた大きさに増える。したがって、離脱方向Ｙへの付勢力としてコイルばね５１からスライド部材３５に加わる付勢力も増える。
【００５３】
雌端子１３に対して雄端子３３が一部挿入された位置で、コイルばね５１からスライド部材３５に加わる付勢力は、雌端子１３に挿入された雄端子３３を摩擦抵抗に抗して雌端子１３から抜脱させ、雌コネクタ１０を離脱方向Ｙに押し返すのに十分な大きさである。
【００５４】
このため、雄端子３３が雌端子１３に一部挿入された位置で、半嵌合状態のまま雄コネクタ３０に対する雌コネクタ１０の嵌合作業を中止した場合にも、コイルばね５１からの付勢力でスライド部材３５が雌コネクタ１０を離脱方向Ｙに押し返す。この押し返しにより、雌コネクタ１０と雄コネクタ３０とが離脱する。
【００５５】
雄端子３３が雌端子１３に一部挿入された後、ロックアーム１７の係止突起２１が雄ハウジング３１の係止溝４１に係止されるまで雌端子収容部１５をフード部３９にさらに挿入すると、雌コネクタ１０と雄コネクタ３０とが本嵌合状態となる。この状態では、図６に示すように、ロックアーム１７の撓み変形が解消される。この解消により、係止突起２１がスライド部材３５の前端５３の移動軌跡上から退避する。
【００５６】
スライド部材３５の前端５３の移動軌跡上から係止突起２１が退避すると、スライド部材３５がロックアーム１７により移動範囲の後端側（嵌合方向Ｘ）に押されなくなり、スライド部材３５が移動範囲の前端側に移動可能となる。このため、移動範囲の後端側へのスライド部材３５の移動により弾発力を蓄積したコイルばね５１が弾発力を解放し、図７に示すように、スライド部材３５を離脱方向Ｙに押し返して移動範囲の前端側に移動させる。
【００５７】
スライド部材３５が移動範囲の前端に移動すると、雄ハウジング３１の係止溝４１との係止を係止突起２１が解除する方向へのロックアーム１７の撓み変形がスライド部材３５によって規制され、雌コネクタ１０と雄コネクタ３０とが本嵌合状態に保持される。
【００５８】
なお、本嵌合状態の雌コネクタ１０と雄コネクタ３０とを離脱させる場合は、図７に示す状態から、コイルばね５１の弾発力に抗してスライド部材３５を移動範囲の後端に移動させる。さらに、ロックアーム１７を撓み変形させて係止突起２１と雄ハウジング３１の係止溝４１との係止を解除させる。そして、雌コネクタ１０を雄コネクタ３０に対して離脱方向Ｙに移動させればよい。
【００５９】
以上に説明した本実施形態の半嵌合防止コネクタ１では、雌コネクタ１０と雄コネクタ３０とが本嵌合した際に、半嵌合状態の雌コネクタ１０を雄コネクタ３０から離脱させるためにコイルばね５１に蓄積された弾発力が、スライド部材３５のスライドで解放される。このため、雌コネクタ１０と雄コネクタ３０とが半嵌合状態で放置されることの防止と、コイルばね５１が長く収縮状態に保持されて弾発力が劣化することの抑制とを、単一のスライド部材３５を用いた簡略な構成によって実現することができる。
【００６０】
なお、本実施形態では、雌コネクタ１０と雄コネクタ３０との本嵌合状態においてロックアーム１７が係止される係止部として、雄ハウジング３１に係止溝４１（凹部）を設け、係止溝４１に係止される係止突起２１（凸部）をロックアーム１７に設けた。しかし、雄ハウジング３１に係止部として凸部を設け、これに係止可能な凹部をロックアーム１７に設けても良い。その場合、ロックアーム１７は、雌コネクタ１０と雄コネクタ３０との半嵌合状態において、雄ハウジング３１の前端に乗り上げて撓み変形するように構成しても良い。
【００６１】
また、本実施形態では、ロックアーム１７を雌コネクタ１０の雌ハウジング１１に設け、スライド部材３５を雄コネクタ３０の雄ハウジング３１に設けたが、雌コネクタ１０側にスライド部材を設け、雄コネクタ３０側にロックアームを設けても良い。
【００６２】
さらに、本実施形態では、雌コネクタ１０と雄コネクタ３０との半嵌合状態においてコイルばね５１が収縮して、スライド部材３５を離脱方向Ｙに付勢するための弾発力を蓄積するものとした。しかし、雌コネクタ１０と雄コネクタ３０との半嵌合状態においてコイルばねが引張されて、スライド部材３５を離脱方向Ｙに付勢するための復元力を蓄積するように構成しても良い。
【００６３】
また、半嵌合防止コネクタに設けるロックアームとスライド部材は、本実施形態の半嵌合防止コネクタ１のように一組であっても良く、複数組であっても良い。
【産業上の利用可能性】
【００６４】
本発明は、半嵌合防止機能を備えたコネクタに適用して極めて有用である。
【符号の説明】
【００６５】
１  半嵌合防止コネクタ
１０  雌コネクタ（一方のコネクタ）
１１  雌ハウジング
１３  雌端子（一方のコネクタの端子）
１５  雌端子収容部
１７  ロックアーム
１９  端子挿入孔
２１  係止突起
３０  雄コネクタ（他方のコネクタ）
３１  雄ハウジング
３３  雄端子（他方のコネクタの端子）
３５  スライド部材
３７  雄端子収容部
３９  フード部
４１  係止溝（係止部）
４３  ガイド壁
４５  ガイド溝
４７，４９  ストッパ片
５１  コイルばね（付勢部材）
５３  スライド部材前端
Ｘ  嵌合方向
Ｙ  離脱方向（嵌合方向の逆方向）
【図１】
2018195423.tif 000003
【図２】
2018195423.tif 000004
【図３】
2018195423.tif 000005
【図４】
2018195423.tif 000006
【図５】
2018195423.tif 000007
【図６】
2018195423.tif 000008
【図７】
2018195423.tif 000009